(57)【特許請求の範囲】
【請求項１】
入力された設定モードコマンドに対応し、互いに独立して設定することが可能な独立した機能を司る部分の設定に対応する複数の設定モードのうち、少なくとも一つの第１の設定モードが使用され、それ以外の一つである第２の設定モードが使用されていないと判断した場合、前記第２の設定モードに対応する設定を指示する設定指示信号を出力する装置設定制御部と、
前記第２の設定モードに対応する設定を行う複数の装置設定部と、
を備えたことを特徴とするネットワーク装置。
【請求項２】
前記装置設定制御部は、互いに独立して設定することが可能な独立した機能を司る部分の設定を指示する複数の設定モードコマンドのうちの一つである前記入力された設定モードコマンドと、前記入力された設定モードコマンドに対応付けられたユーザ識別情報とを外部から受け、受けたときに、この受けた前記入力された設定モードコマンドが前記ユーザ識別情報と異なるユーザ識別情報に対応付けられているか否かを調べ、前記入力された設定モードコマンドが前記ユーザ識別情報と異なるユーザ識別情報に対応付けされていない場合、前記設定指示信号を出力し、
前記複数の装置設定部は、前記複数の設定モードコマンドにそれぞれ対応し、前記装置設定制御部から、前記設定指示信号を受け、前記対応付けされていない入力された設定モードコマンドで指定された設定モードに対応する前記独立した機能を司る部分に前記設定を行う、
ことを特徴とする請求項１記載のネットワーク装置。
【請求項３】
入力された設定モードコマンドに対応し、互いに独立して設定することが可能な独立した機能を司る部分の設定に対応する複数の設定モードの一つである第１の設定モードが使用されていないと判断した場合、前記第１の設定モードに対応する設定を指示する設定指示信号を出力する装置設定制御部と、
前記設定指示信号を受け、前記第１の設定モードに対応する設定を行う複数の装置設定部とを備え、
前記装置設定制御部は、互いに独立して設定することが可能な独立した機能を司る部分の設定を指示する複数の設定モードコマンドのうちの一つである前記入力された設定モードコマンドと、前記入力された設定モードコマンドに対応付けられたユーザ識別情報とを外部から受け、受けたときに、この受けた前記入力された設定モードコマンドが前記ユーザ識別情報と異なるユーザ識別情報に対応付けられているか否かを調べ、前記入力された設定モードコマンドが対応付けされていない場合、前記設定指示信号を出力し、
前記複数の装置設定部は、前記複数の設定モードコマンドにそれぞれ対応し、前記装置設定制御部から、前記設定指示信号を受け、前記対応付けされていない入力された設定モードコマンドで指定された設定モードに対応する前記独立した機能を司る部分に前記設定を行う、
ことを特徴とするネットワーク装置。
【請求項４】
前記入力された設定モードコマンドで指定される設定モードに対応する前記独立した機能を司る部分として、無線回線部、有線回線部、及びルーティング部を更に備え、
これらの各部に対応するそれぞれの前記入力された設定モードコマンドで指定される設定モードは、無線設定モード、有線設定モード、ルーティング設定モードである、
ことを特徴とする請求項１、２又は３記載のネットワーク装置。
【請求項５】
それぞれの前記入力された設定モードコマンドで指定される設定モードに対応する設定とは、前記無線回線部、前記有線回線部及び前記ルーティング部が、それぞれ、無線通信、有線通信、及びルーティングを行うために必要な所定の設定である、
ことを特徴とする請求項４記載のネットワーク装置。
【請求項６】
複数の前記入力された設定モードコマンドとは、無線設定モードコマンド、有線設定モードコマンド、ルーティング設定モードコマンドである、
ことを特徴とする請求項４又は５記載のネットワーク装置。
【請求項７】
外部から、前記ユーザ識別情報とパスワードを受け前記装置設定制御部に通知し、前記装置設定制御部からログイン許可を受け、外部から前記入力された設定モードコマンドを受けて前記装置設定制御部に通知し、前記装置設定制御部から前記入力された設定モードコマンドに対応する設定モードに対応する前記設定を許可する通知を受けた場合、この通知を受けた後に、外部から前記入力された設定モードコマンドに対応する設定モードに対応する設定内容を含む設定コマンドを受けて装置設定制御部に通知する複数のインターフェース部を更に備え、
前記装置設定制御部は、前記インターフェース部から前記ユーザ識別情報と前記パスワードを受け、この受けたパスワードが所定のパスワードであった場合、前記ログイン許可を前記インターフェース部に通知し、前記インターフェース部から前記入力された設定モードコマンドを受け、前記入力された設定モードコマンドが前記受けた前記ユーザ識別情報と異なるユーザ識別情報に対応付けられているか否かを調べ、前記入力された設定モードコマンドが対応付けされていない場合、前記対応付けされていない入力された設定モードコマンドに対応する設定モードに対応する前記設定を許可する通知を前記インターフェース部に通知し、前記インターフェース部から前記設定コマンドを受けて、前記設定コマンドに含まれる設定内容に基づいて、複数の装置設定部のうちの前記対応付けされていない入力された設定モードコマンドに対応する前記装置設定部に装置設定を指示し、
前記装置設定部は、前記装置設定制御部から前記装置設定の指示を受け、前記設定内容に基づいて装置の設定をする、
ことを特徴とする請求項２、３、４、５又は６記載のネットワーク装置。
【請求項８】
前記インターフェース部は、シリアル接続、ｔｅｌｎｅｔ（ｔｅｌｅｃｏｍｍｕｎｉｃａｔｉｏｎ  ｎｅｔｗｏｒｋ）接続、又はｈｔｔｐ（ＨｙｐｅｒＴｅｘｔ  Ｔｒａｎｓｆｅｒ  Ｐｒｏｔｏｃｏｌ）接続が可能な端末装置から、前記ユーザ識別情報、前記パスワード、前記入力された設定モードコマンド、及び前記入力された設定モードコマンドに対応する設定モードに対応する設定内容を含む前記設定コマンドを受ける、
ことを特徴とする請求項７記載のネットワーク装置。
【請求項９】
設定モードコマンドを入力し、
前記入力した設定モードコマンドに対応し、互いに独立して設定することが可能な独立した機能を司る部分の設定に対応する複数の設定モードのうち、少なくとも一つの第１の設定モードが使用され、それ以外の一つである第２の設定モードが使用されていないか否かを調べ、前記第２の設定モードが使用されていない場合、
前記第２の設定モードに対応する設定を行い、前記第２の設定モードに基づいて設定された前記互いに独立して設定することが可能な独立した機能を司る部分と前記第１の設定モードに基づいて設定された前記互いに独立して設定することが可能な独立した機能を司る部分とを同時に使用する
ことを特徴とする装置設定方法。
【請求項１０】
互いに独立して設定することが可能な独立した機能を司る部分の設定を指示する複数の設定モードコマンドのうちの一つである前記入力した設定モードコマンドと、前記入力した設定モードコマンドに対応付けられたユーザ識別情報とを受け、
この受けた前記入力した設定モードコマンドが、前記ユーザ識別情報と異なるユーザ識別情報に対応付けられているか否かを調べ、前記入力した設定モードコマンドが対応付けされていない場合、
前記対応付けされていない入力した設定モードコマンドで指定された設定モードに対応する設定を行う、
ことを特徴とする請求項９記載の装置設定方法。
【請求項１１】
設定モードコマンドを入力し、
前記入力した設定モードコマンドに対応し、互いに独立して設定することが可能な独立した機能を司る部分の設定に対応する複数の設定モードの一つである第１の設定モードが使用されているか否かを調べ、前記第１の設定モードが使用されていない場合、
前記第１の設定モードに対応する設定を行う装置設定方法であって、
前記入力した設定モードコマンドと、前記入力した設定モードコマンドに対応付けられたユーザ識別情報とを受け、
この受けた前記入力した設定モードコマンドが前記ユーザ識別情報と異なるユーザ識別情報に対応付けられているか否かを調べ、前記入力した設定モードコマンドが対応付けされていない場合、
前記対応付けされていない入力した前記設定モードコマンドで指定された設定モードに対応する設定を行う、
ことを特徴とする装置設定方法。
【請求項１２】
前記入力した設定モードコマンドに対応する設定モードは、無線設定モード、有線設定モード、ルーティング設定モードを含む、  ことを特徴とする請求項９、１０又は１１記載の装置設定方法。
【発明の詳細な説明】
【技術分野】
【０００１】
本発明は、ネットワーク装置及び装置設定方法に関し、設定情報を設定するネットワーク装置及び装置設定方法に関する。
【背景技術】
【０００２】
ネットワークに接続された端末装置等から、例えば他のネットワークに接続された端末装置等に通信する場合、ネットワークと他のネットワークとの間に設置されたルータ等のノードに設定情報を設定してネットワーク間を接続する必要がある。このとき、このルータに対する設定情報の設定要求が、複数の端末装置から同時に送られた場合、通常、このルータに対して最初に受け付けられた設定要求の端末装置からの設定情報を設定する。そして、この設定の完了後、次に受け付けられた設定要求の端末装置からの設定情報を設定する。このため、次に受け付けられた設定要求の端末装置のユーザは、最初に受け付けられた設定要求の端末装置からの設定情報が設定される間待たなければならない。
【０００３】
複数の端末装置から同時に設定要求が送られた場合、自身の端末装置の設定要求が受け付けられるまでの待ち時間を抑える技術が、特許文献１に開示されている。特許文献１に開示の通信システムは、複数のユーザネットワーク間を接続するネットワークを構成し、制御要求に従いユーザネットワーク間の論理回線の設定情報を変更（設定変更）する複数のノード装置と、設定情報を送信する端末と、端末から設定情報を受信しノード装置に制御要求を送信して設定変更を行うサーバ装置とを備えている。
【０００４】
そして、複数の端末から同時に設定情報の設定要求がサーバ装置に送信されると、サーバ装置は、これらの設定要求を受信順にキューに積む。そして、これらの設定要求が有効か否かを判定する受付判定処理と、受付判定処理で受付けられた設定要求の設定情報に基づいてノード装置に対して設定変更する設定変更処理とを独立に動作させる。このようにすることにより、先に受信された設定要求の受付判定処理が終わると、速やかに次に受信された設定要求の受付判定処理を行うことを可能にしている。このため、受信された設定要求の設定情報は、先に受信された設定要求の設定情報に対する設定変更処理の終了を待たずに、受付判定処理されることになる。このようにして、特許文献１に開示の通信システムは、設定変更処理を行う際に、複数の端末装置から同時に設定要求が送られた場合にも、それぞれの端末装置の設定要求が受け付けられるまでの待ち時間を抑えるようにしている。
【先行技術文献】
【特許文献】
【０００５】
【特許文献１】特開２０１０−４４２６号公報
【発明の概要】
【発明が解決しようとする課題】
【０００６】
上述した特許文献１に記載の通信システムは、設定要求が有効か否かを判定する受付判定処理と、ノード装置に対して設定変更する設定変更処理とを独立に動作させる。このことにより、複数の端末装置から同時にノード装置に対する設定要求が送られた場合にも、端末装置の設定要求が受け付けられるまでの待ち時間を抑えるようにしている。しかし、端末装置からの設定要求の内容が、他の端末装置からの設定要求に応じた設定変更処理に関わりなく独立に処理可能な内容の場合にも、他の端末装置の要求した設定変更が終了するまで、端末装置からの設定要求の受け付けが待たされるという問題がある。
【０００７】
本発明の目的は、上記課題を解決して、設定の内容が、独立して設定することができる内容の場合には、他の端末装置から要求された設定の終了を待たずに、この設定の要求を受け付けることができるネットワーク装置及び装置設定方法を提供することである。
【課題を解決するための手段】
【０００８】
本発明のネットワーク装置は、入力された設定モードコマンドに対応し、互いに独立して設定することが可能な独立した機能を司る部分の設定に対応する複数の設定モードの一つである設定モードが使用されていないと判断した場合、前記設定モードに対応する設定を指示する設定指示信号を出力する装置設定制御部と、入力された前記設定指示信号に対応する前記設定モードに対応する設定を行う複数の装置設定部と、を備えている。
【０００９】
本発明の装置設定方法は、設定モードコマンドを入力し、前記設定モードコマンドに対応し、互いに独立して設定することが可能な独立した機能を司る部分の設定に対応する複数の設定モードの一つである設定モードが使用されていないか否かを調べ、前記設定モードが使用されていない場合、前記入力した前記設定モードコマンドで指定された前記設定モードに対応する設定を行う、ようにしている。
【発明の効果】
【００１０】
本発明によれば、設定の内容が、独立して設定することができる内容の場合には、他の端末装置から要求された設定の終了を待たずに、この設定の要求を受け付けることができる。
【図面の簡単な説明】
【００１１】
【図１】本発明の第１の実施の形態に係るネットワーク装置の一例を示す図である。
【図２】本発明の第２の実施の形態に係るネットワーク装置の一例を示す図である。
【図３】本発明の第２の実施の形態のネットワーク装置の動作の一例を示すフローチャートである。
【図４】ログインユーザ情報管理テーブルの一例を示す図である。
【図５】ログインユーザ情報管理テーブルの他の例を示す図である。
【発明を実施するための形態】
【００１２】
次に、本発明の実施の形態について図面を参照して説明する。
（第１の実施の形態）
図１は、本発明の第１の実施の形態に係るネットワーク装置の一例を示す図である。
【００１３】
本実施の形態のネットワーク装置１は、例えば、インターネット回線や社内回線につなぎ、ネットワーク間の相互接続を行うルータ装置等の通信機器である。
【００１４】
本実施の形態に係るネットワーク装置１は、装置設定制御部２と、複数の装置設定部３とにより構成される。
【００１５】
装置設定制御部２は、入力された設定モードコマンドに対応し、互いに独立して設定することが可能な独立した機能を司る部分の設定に対応する複数の設定モードの一つである設定モードが使用されていないと判断した場合、前記設定モードに対応する設定を指示する設定指示信号を出力する。すなわち、装置設定制御部２は、外部の例えば端末装置から、互いに独立して設定することが可能な独立した機能を司る部分（モジュール）の設定を指示する複数の設定モードコマンドの一つである設定モードコマンドを受ける。そして、この受けた設定モードコマンドで指定された設定モードが使用されていないか否かを調べ、この設定モードが使用されていない場合、この設定モードに対応する設定を指示する設定指示信号を出力する。
【００１６】
複数の装置設定部３のそれぞれの装置設定部３は、入力された設定指示信号に対応する設定モードに対応する設定を行う。すなわち、それぞれの装置設定部３は、複数の設定モードコマンドにそれぞれ対応し、装置設定制御部２から、設定モードコマンドで指定された設定モードに対応する設定を指示する設定指示信号を受ける。そして、自身の装置のこの設定モードコマンドで指定された設定モードに対応するモジュールにこの指示された設定を行う。
【００１７】
図１では、複数の装置設定部３を三つの装置設定部３として記載している。
【００１８】
ここで、設定モードコマンドで指定される設定モードに対応するモジュールとは、例えば、ネットワーク装置１に備えられた無線回線部（不図示）、有線回線部（不図示）、及びルーティング部（不図示）を示す。これらのモジュール（無線回線部、有線回線部、ルーティング部）は、互いに独立して設定することが可能な独立した機能を司る部分である。また、これらのモジュールに対応するそれぞれの設定モードは、無線設定モード、有線設定モード、ルーティング設定モードである。
【００１９】
すなわち、装置設定部３は、設定モードと一対一に対応している。例えば三つ装置設定部３のうちの一つ目の装置設定部３は、無線回線部に対応し、二つ目の装置設定部３は、有線回線部に対応し、三つ目の装置設定部３は、ルーティング部に対応している。
【００２０】
そして、それぞれの設定モードに対応する設定とは、例えば、無線回線部、有線回線部及びルーティング部が、それぞれ、無線通信、有線通信、及びルーティングを行うために必要な所定の設定である。例えば、無線回線部に行う設定とは、例えば、無線アクセスポイントの識別子（ＳＳＩＤ：Ｓｅｒｖｉｃｅ  Ｓｅｔ  ＩＤｅｎｔｆｉｅｒ）、暗号化方式、ＩＰアドレス等の設定であり、これにより、ネットワーク上の無線端末等と無線ＬＡＮ接続が可能になる。有線回線部に行う設定とは、例えば、アドレス設定、配下ＰＣのアクセス制限（アクセスリスト）設定、パスワード設定等である。これにより、例えば、ネットワーク上の有線端末等と有線接続が可能になる。また、ルーティング部に行う設定とは、例えば、ネットワークに接続され登録された装置のＩＰアドレスごとの、このＩＰアドレスにたどり着くためのネットワーク設定等である。
【００２１】
また、複数の設定モードコマンドとは、例えば、無線設定モードコマンド、有線設定モードコマンド、ルーティング設定モードコマンドである。
【００２２】
次に、本実施の形態のネットワーク装置の動作を説明する。
【００２３】
装置設定制御部２は、外部の例えば端末装置から、互いに独立して設定することが可能な独立したモジュールの設定を指示する複数の設定モードコマンドのうちの一つである設定モードコマンドと、この設定モードコマンドに対応付けられたユーザ識別情報とを受ける。設定モードコマンドとは、例えば、無線設定モードコマンド、有線設定モードコマンド、ルーティング設定モードコマンドのうちのどれかである。すなわち、これらの設定モードコマンドのうちの一つの設定モードコマンドとユーザ識別情報とを受けて対応付けて例えば格納部（不図示）に格納する。
【００２４】
そして、装置設定制御部２は、これらを受けたときに、この受けた設定モードコマンドが、同じく受けたユーザ識別情報と異なるユーザ識別情報に対応付けられているか否かを格納部（不図示）の格納内容に基づき調べる。すなわち、この受けた設定モードコマンドで指定された設定モードが使用されているか否かを調べる。すなわち、現在受けた設定モードコマンドが、このコマンドを受ける前に、他のユーザ識別情報とともに受けており、かつ、この設定モードコマンドで指定された設定モードが現在使用されているか否かを調べる。
【００２５】
設定モードとは、例えば、無線設定モード、有線設定モード、ルーティング設定モードのうちのどれかである。また、設定モードの使用とは、設定モードに対応するモジュールに対し、モジュールの機能（無線通信、有線通信、又はルーティング）を発揮するために設定モードに対応する装置設定部３が必要な所定の設定を行っていることを示す。
【００２６】
そして、装置設定制御部２は、調べた結果が、異なるユーザ識別情報に対応付けられた設定モードコマンドで指定された設定モードが使用されていないことを示す場合、次のことを行う。すなわち、装置設定制御部２は、外部から受けたこの設定モードコマンドで指定された設定モードに対応する設定を、複数の装置設定部３のうちのこの設定モードコマンドに対応する装置設定部３に指示する。
【００２７】
装置設定部３は、装置設定制御部２から、設定モードに対応する設定の指示を受け、設定モードに対応する設定を行う。例えば、無線回線部、有線回線部、又はルーティング部を設定する。
【００２８】
このように、本発明の第１の実施の形態によれば、装置設定制御部２により、入力された設定モードコマンドに対応し、複数の設定モードの一つである設定モードが使用されていないか否かを判断する。複数の設定モードはそれぞれ、互いに独立して設定することが可能な独立した機能を司る部分（モジュール）の設定に対応する。そして、この設定モードが使用されていないと判断した場合、装置設定部により、この設定モードに対応する設定を行う。
【００２９】
すなわち、本発明の第１の実施の形態によれば、独立したモジュールの設定を指示する複数の設定モードコマンドのうちの一つである設定モードコマンドで指定される設定モードが使用されていない場合、この設定モードに対応する設定を行う。このため、例え、この設定モードコマンドで指定される設定モードと異なる設定モードが使用されていても、この設定モードコマンドで指定される設定モードを使用することができる。
【００３０】
このため、本発明の第１の実施の形態によれば、設定の内容が、独立して設定することができる内容の場合には、他の端末装置から要求された設定の終了を待たずに、この設定の要求を受け付け、この要求に対応する設定を行うことができる。
（第２の実施の形態）
図２は、本発明の第２の実施の形態に係るネットワーク装置の一例を示す図である。
【００３１】
本第２の実施の形態は、第１の実施の形態にインターフェース部４を付加し、第１の実施の形態のネットワーク装置１の動作をより具体化したものである。したがって、主に第１の実施の形態と相違する部分について説明する。
【００３２】
本実施の形態に係るネットワーク装置１は、装置設定制御部２と、複数の装置設定部３と、複数のインターフェース部４とにより構成される。
【００３３】
図２では、複数の装置設定部３を三つの装置設定部３として記載している。
【００３４】
複数のインターフェース部４のそれぞれのインターフェース部４は、外部（例えば、端末装置）から、ユーザ識別情報とパスワードを受け装置設定制御部２に通知する。そして、装置設定制御部２からログイン許可を受け、外部から互いに独立して設定することが可能な独立したモジュールの設定を指示する複数の設定モードコマンドのうちの一つである設定モードコマンドを受けて装置設定制御部２に通知する。そして、装置設定制御部２から設定モードに対応する設定を許可する通知を受けた場合、この通知を受けた後に、外部から設定モードに対応する設定内容を含む設定コマンドを受けて装置設定制御部２に通知する。
【００３５】
装置設定制御部２は、インターフェース部４からユーザ識別情報とパスワードを受け、この受けたパスワードが所定のパスワードであった場合、ログイン許可をインターフェース部４に通知する。そして、インターフェース部４から設定モードコマンドを受け、同じくインターフェース部４から受けたユーザ識別情報と異なるユーザ識別情報に対応付けられたこの設定モードコマンドで指定された設定モードが使用されているか否かを調べる。そして、この設定モードが使用されていない場合、設定モードに対応する設定を許可する通知をインターフェース部４に通知する。そして、インターフェース部４から設定コマンドを受けて、この設定コマンドに含まれる設定内容に基づいて、複数の装置設定部３のうちの設定モードコマンドに対応する装置設定部３に設定を指示する。
【００３６】
インターフェース部４は、シリアル接続、ｔｅｌｎｅｔ（ｔｅｌｅｃｏｍｍｕｎｉｃａｔｉｏｎ  ｎｅｔｗｏｒｋ）接続、又はｈｔｔｐ（ＨｙｐｅｒＴｅｘｔ  Ｔｒａｎｓｆｅｒ  Ｐｒｏｔｏｃｏｌ）接続のうちの一つの接続が可能である。インターフェース部４は、外部（例えば、端末装置）から、シリアル通信、ｔｅｌｎｅｔ通信、又はｈｔｔｐ通信に基づいて、ユーザ識別情報、パスワード、設定モードコマンド、及び設定モードに対応する設定内容を含む設定コマンドを受ける。したがって、外部の端末装置もインターフェース部４と同様に、シリアル接続、ｔｅｌｎｅｔ接続、又はｈｔｔｐ接続が可能である。シリアル接続とは、例えば１ワード（１６ビット）ごとに通信するシリアルラインによる接続である。ｔｅｌｎｅｔ接続とは、汎用的な双方向８ビット通信を提供する端末間及びプロセス間の通信プロトコルであるｔｅｌｎｅｔによる接続である。ｔｅｌｎｅｔは、ＴＣＰ／ＩＰネットワークにおいて、ネットワークにつながれたコンピュータを遠隔操作するための標準方式である。ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）が標準化している、ＲＦＣ（Ｒｅｑｕｅｓｔ  Ｆｏｒ  Ｃｏｍｍｅｎｔ）８５４で規定されている。ｈｔｔｐ接続とは、ｈｔｔｐプロトコルを用いて通信するラインによる接続である。ｈｔｔｐプロトコルとは、Ｗｅｂ（ウェブ）ブラウザとＷｅｂサーバの間でＨＴＭＬ（ＨｙｐｅｒＴｅｘｔ  Ｍａｒｋｕｐ  Ｌａｎｇｕａｇｅ）などのコンテンツの送受信に用いられる通信プロトコルであり、ＲＦＣ２６１６で規定されている。
【００３７】
次に、本発明の第２の実施の形態に係るネットワーク装置１の動作を、図３、図４及び図５を参照して詳細に説明する。
【００３８】
図３は、本発明の第２の実施の形態のネットワーク装置の動作の一例を示すフローチャートである。
【００３９】
図４は、ログインユーザ情報管理テーブルの一例を示す図である。この図は、現在、二人のユーザがログインし設定モードを使用中であることを示し、ユーザ識別情報に対応付けて、ユーザ識別情報に応じたパスワードと、現在このユーザが使用している設定モードに対応する設定モードコマンドを示している。ユーザ識別情報がｕｓｅｒ１、パスワードがｕｓｅｒ１ｐａｓｓのユーザは、設定モードコマンドがｒｏｕｔｉｎｇ―ｃｏｎｆｉｇ（ルーティング設定モードを指定するコマンド）に対応する設定モード（ルーティング設定モード）を使用中であることを示している。ユーザ識別情報がｕｓｅｒ２、パスワードがｕｓｅｒ２ｐａｓｓのユーザは、設定モードコマンドがｗｉｒｅ―ｃｏｎｆｉｇ（有線設定モードを指定するコマンド）に対応する設定モード（有線設定モード）を使用中であることを示している。このログインユーザ情報管理テーブルは、格納部（不図示）に格納され、装置設定制御部２が更新を行う。
【００４０】
図５は、ログインユーザ情報管理テーブルの他の例を示す図である。この図は、ネットワーク装置１が、図４に示すように二人のユーザによりルーティング設定モードと有線設定モードが使用されているときに、三人目のユーザがログインし無線設定モードを使用するときのテーブルの内容を示している。ユーザ識別情報がｕｓｅｒ３、パスワードがｕｓｅｒ３ｐａｓｓの三人目のユーザが、設定モードコマンドがｗｉｒｅｌｅｓｓ―ｃｏｎｆｉｇ（無線設定モードを指定するコマンド）に対応する設定モード（無線設定モード）を使用中であることを示している。
【００４１】
現在、複数のインターフェース部４に対応するそれぞれの端末装置のうちの、二つの端末装置からネットワーク装置１に二人のユーザがログインし、図４のログインユーザ情報管理テーブルに示すように、ルーティング設定モードと有線設定モードとが使用されているとする。
【００４２】
図３のステップＳ１では、現在ネットワーク装置１にログインしているユーザの使用している端末装置以外の端末装置に対応する各インターフェース部４が、このインターフェース部４に対応する端末装置から、ユーザ識別情報とパスワードとの受信を待つ。そして、受信があった場合、ステップＳ２に進む。
【００４３】
図３のステップＳ２では、受信があったインターフェース部４（新規受信インターフェース部４）は、このインターフェース部４に対応する端末装置から受信したユーザ識別情報とパスワードを装置設定制御部２に通知する。
【００４４】
図３のステップＳ３では、装置設定制御部２は、新規受信インターフェース部４からユーザ識別情報とパスワードを受け、この受けたパスワードがユーザ識別情報（例えば、ｕｓｅｒ３）に応じた所定のパスワード（例えば、ｕｓｅｒ３ｐａｓｓ）か否かを調べる。そして、調べた結果がユーザ識別情報に応じた所定のパスワードであることを示す場合は、ステップＳ４に進む。また、調べた結果がユーザ識別情報に応じた所定のパスワードでないことを示す場合は、ステップＳ１に戻る。
【００４５】
図３のステップＳ４では、装置設定制御部２は、新規受信インターフェース部４から受けたユーザ識別情報（ｕｓｅｒ３）とパスワード（ｕｓｅｒ３ｐａｓｓ）とを対応付けて格納部（不図示）に格納し、ログイン許可を新規受信インターフェース部４に通知する。
【００４６】
図３のステップＳ５では、新規受信インターフェース部４は、装置設定制御部２からログイン許可を受け、対応する端末装置にログイン許可を通知する。
【００４７】
図３のステップＳ６では、新規受信インターフェース部４が、対応する端末装置から複数の設定モードコマンドのうちの一つである設定モードコマンド（例えば、ｗｉｒｅｌｅｓｓ―ｃｏｎｆｉｇ：無線設定モードを指定するコマンド）を受けて装置設定制御部２に通知する。
【００４８】
図３のステップＳ７では、装置設定制御部２が、新規受信インターフェース部４から設定モードコマンド（ｗｉｒｅｌｅｓｓ―ｃｏｎｆｉｇ）を受ける。そして、この受けた設定モードコマンドが、ステップＳ４で格納したユーザ識別情報（ｕｓｅｒ３）と異なるユーザ識別情報に対応付けられているか否かを格納部（不図示）に格納された図４で示すログインユーザ情報管理テーブルに基づき調べる。調べた結果が、設定モードコマンド（ｗｉｒｅｌｅｓｓ―ｃｏｎｆｉｇ）がユーザ識別情報（ｕｓｅｒ３）と異なるユーザ識別情報に対応付けられていないことを示す場合（図４のログインユーザ情報管理テーブルの場合に対応）、ステップＳ９へ進む。また、例えば、図４のログインユーザ情報管理テーブルで、設定モードコマンド（ｗｉｒｅｌｅｓｓ―ｃｏｎｆｉｇ）がユーザ識別情報（ｕｓｅｒ１）に対応付けられている場合には次のようにする。すなわち、この場合は、調べた結果が設定モードコマンド（ｗｉｒｅｌｅｓｓ―ｃｏｎｆｉｇ）がユーザ識別情報（ｕｓｅｒ３）と異なるユーザ識別情報に対応付けられているので、ステップＳ８へ進む。
【００４９】
図３のステップＳ８では、装置設定制御部２は、新規受信インターフェース部４を介して、対応する端末装置に、この端末装置が要求する設定モードは現在使用中であることを通知し、ステップＳ６に戻る。
【００５０】
図３のステップＳ９では、装置設定制御部２は、新規受信インターフェース部４から受けたユーザ識別情報と異なるユーザ識別情報に対応付けられた設定モードコマンドで指定された設定モードは使用されていないと判断する。
そして、図５で示すように、ユーザ識別情報（ｕｓｅｒ３）に対応付けて、パスワード（ｕｓｅｒ３ｐａｓｓ）と、設定モードコマンド（ｗｉｒｅｌｅｓｓ―ｃｏｎｆｉｇ）とを格納部（不図示）に格納する。そして、この設定モード（無線設定モード）に対応する設定を許可する通知（設定許可通知）を、新規受信インターフェース部４を介して対応する端末装置に通知する。
【００５１】
図３のステップＳ１０では、新規受信インターフェース部４は、対応する端末装置から設定モード（無線設定モード）に対応する設定内容を含む設定コマンドを受けて装置設定制御部２に通知する。無線設定モードに対応する設定内容とは、例えば、無線アクセスポイントの識別子（ＳＳＩＤ）、暗号化方式、ＩＰアドレス等である。
【００５２】
図３のステップＳ１１では、装置設定制御部２は、新規受信インターフェース部４から設定コマンドを受けて、この設定コマンドに含まれる設定内容に基づいて、この設定モード（無線設定モード）に対応する装置設定部３に設定を指示する。
【００５３】
図３のステップＳ１２では、この設定モード（無線設定モード）に対応する装置設定部３は、装置設定制御部２から、設定コマンドを受け、この設定コマンドに含まれる設定内容に基づいて、自身の装置設定部３に対応する、独立して設定することが可能な独立した機能を司る部分を示すモジュール（無線回線部）に設定を行う。
【００５４】
このように、本発明の第２の実施の形態によれば、装置設定制御部２により、入力された設定モードコマンドに対応し、複数の設定モードの一つである設定モードが使用されていないか否かを判断する。複数の設定モードはそれぞれ、互いに独立して設定することが可能な独立した機能を司る部分（モジュール）の設定に対応する。そして、この設定モードが使用されていないと判断した場合、装置設定部により、この設定モードに対応する設定を行う。
【００５５】
すなわち、本発明の第２の実施の形態によれば、独立したモジュールの設定を指示する複数の設定モードコマンドのうちの一つである設定モードコマンドで指定される設定モードが使用されていない場合、この設定モードに対応する設定を行う。このため、例え、この設定モードコマンドで指定される設定モードと異なる設定モードが使用されていても、この設定モードコマンドで指定される設定モードを使用することができる。
【００５６】
このため、本発明の第２の実施の形態によれば、設定の内容が、独立して設定することができる内容の場合には、他の端末装置から要求された設定の終了を待たずに、この設定の要求を受け付け、この要求に対応する設定を行うことができる。
【００５７】
上記の実施形態の一部または全部は、以下の付記のように記載され得るが、以下には限られない。
（付記１）
入力された設定モードコマンドに対応し、互いに独立して設定することが可能な独立した機能を司る部分の設定に対応する複数の設定モードの一つである設定モードが使用されていないと判断した場合、前記設定モードに対応する設定を指示する設定指示信号を出力する装置設定制御部と、
入力された前記設定指示信号に対応する前記設定モードに対応する設定を行う複数の装置設定部と、
を備えたことを特徴とするネットワーク装置。
（付記２）
前記装置設定制御部は、互いに独立して設定することが可能な独立した機能を司る部分の設定を指示する複数の設定モードコマンドのうちの一つである前記設定モードコマンドと、この設定モードコマンドに対応付けられたユーザ識別情報とを外部から受け、受けたときに、この受けた前記ユーザ識別情報と異なるユーザ識別情報に対応付けられた前記設定モードコマンドで指定された設定モードが使用されているか否かを調べ、前記設定モードが使用されていない場合、前記設定指示信号を出力し、
前記複数の装置設定部は、前記複数の設定モードコマンドにそれぞれ対応し、前記装置設定制御部から、前記設定指示信号を受け、前記設定モードコマンドで指定された前記設定モードに対応する前記独立した機能を司る部分に前記設定を行う、
ことを特徴とする付記１記載のネットワーク装置。
（付記３）
前記設定モードコマンドで指定される前記設定モードに対応する前記独立した機能を司る部分として、無線回線部、有線回線部、及びルーティング部を更に備え、
これらの各部に対応するそれぞれの前記設定モードは、無線設定モード、有線設定モード、ルーティング設定モードである、
ことを特徴とする付記１又は２記載のネットワーク装置。
（付記４）
それぞれの前記設定モードに対応する設定とは、前記無線回線部、前記有線回線部及び前記ルーティング部が、それぞれ、無線通信、有線通信、及びルーティングを行うために必要な所定の設定である、
ことを特徴とする付記３記載のネットワーク装置。
（付記５）
複数の前記設定モードコマンドとは、無線設定モードコマンド、有線設定モードコマンド、ルーティング設定モードコマンドである、
ことを特徴とする付記３又は４記載のネットワーク装置。
（付記６）
外部から、前記ユーザ識別情報とパスワードを受け前記装置設定制御部に通知し、前記装置設定制御部からログイン許可を受け、外部から前記設定モードコマンドを受けて前記装置設定制御部に通知し、前記装置設定制御部から前記設定モードに対応する前記設定を許可する通知を受けた場合、この通知を受けた後に、外部から前記設定モードに対応する設定内容を含む設定コマンドを受けて装置設定制御部に通知する複数のインターフェース部を更に備え、
前記装置設定制御部は、前記インターフェース部から前記ユーザ識別情報と前記パスワードを受け、この受けたパスワードが所定のパスワードであった場合、前記ログイン許可を前記インターフェース部に通知し、前記インターフェース部から前記設定モードコマンドを受け、前記受けた前記ユーザ識別情報と異なるユーザ識別情報に対応付けられた前記設定モードコマンドで指定された設定モードが使用されているか否かを調べ、前記設定モードが使用されていない場合、前記設定モードに対応する前記設定を許可する通知を前記インターフェース部に通知し、前記インターフェース部から前記設定コマンドを受けて、前記設定コマンドに含まれる設定内容に基づいて、複数の装置設定部のうちの前記設定モードコマンドに対応する前記装置設定部に装置設定を指示し、
前記装置設定部は、前記装置設定制御部から前記装置設定の指示を受け、前記設定内容に基づいて装置の設定をする、
ことを特徴とする付記２、３、４又は５記載のネットワーク装置。
（付記７）
前記インターフェース部は、シリアル接続、ｔｅｌｎｅｔ（ｔｅｌｅｃｏｍｍｕｎｉｃａｔｉｏｎ  ｎｅｔｗｏｒｋ）接続、又はｈｔｔｐ（ＨｙｐｅｒＴｅｘｔ  Ｔｒａｎｓｆｅｒ  Ｐｒｏｔｏｃｏｌ）接続が可能な端末装置から、前記ユーザ識別情報、前記パスワード、前記設定モードコマンド、及び前記設定モードに対応する設定内容を含む前記設定コマンドを受ける、
ことを特徴とする付記６記載のネットワーク装置。
（付記８）
設定モードコマンドを入力し、
前記設定モードコマンドに対応し、互いに独立して設定することが可能な独立した機能を司る部分の設定に対応する複数の設定モードの一つである設定モードが使用されていないか否かを調べ、前記設定モードが使用されていない場合、
前記入力した前記設定モードコマンドで指定された前記設定モードに対応する設定を行う、
ことを特徴とする装置設定方法。
（付記９）
互いに独立して設定することが可能な独立した機能を司る部分の設定を指示する複数の設定モードコマンドのうちの一つである前記設定モードコマンドと、この設定モードコマンドに対応付けられたユーザ識別情報とを受け、
この受けた前記ユーザ識別情報と異なるユーザ識別情報に対応付けられた前記設定モードコマンドで指定された設定モードが使用されていないか否かを調べ、前記設定モードが使用されていない場合、
前記入力した前記設定モードコマンドで指定された前記設定モードに対応する設定を行う、
ことを特徴とする付記８記載の装置設定方法。
（付記１０）
前記設定モードは、無線設定モード、有線設定モード、ルーティング設定モードを含む、  ことを特徴とする付記８又は９記載の装置設定方法。
（付記１１）
前記設定モードに対応する設定とは、無線通信、有線通信、及びルーティングを行うために必要な所定の設定である、
ことを特徴とする付記１０記載の装置設定方法。
（付記１２）
複数の前記設定モードコマンドとは、無線設定モードコマンド、有線設定モードコマンド、ルーティング設定モードコマンドである、
ことを特徴とする付記１０又は１１記載の装置設定方法。
（付記１３）
シリアル通信、ｔｅｌｎｅｔ通信、又はｈｔｔｐ通信により、前記ユーザ識別情報及び前記一つの設定モードコマンドを受ける、
ことを特徴とする付記９記載の装置設定方法。
【符号の説明】
【００５８】
１  ネットワーク装置
２  装置設定制御部
３  装置設定部
４  インターフェース部
【図１】
0005543566.tif 000002
【図２】
0005543566.tif 000003
【図３】
0005543566.tif 000004
【図４】
0005543566.tif 000005
【図５】
0005543566.tif 000006